(57)【特許請求の範囲】
【請求項１】
日時情報を生成する日時情報生成手段と、
アプリケーションを動作させるための設定情報を設定する設定手段と、
日時情報を取得できるか否かを判別する判別手段と、
前記設定手段によって設定された設定情報に従ってアプリケーションを動作させるとともに、前記判別手段によって日時情報を取得できないと判別された時はその時の設定情報をそのまま用いてアプリケーションの動作を継続させ、日時情報を取得できた時は所定の時刻で前記設定手段から設定情報の取得を再開してアプリケーションを動作させるように制御する制御手段と、
アプリケーションに従って動作する出力手段と、
を備えることを特徴とする携帯端末。
【請求項２】
複数のキーが配列されたキー部を設けた第１の部分と、
表示画面が配置された表示部を設けた第２の部分と、
前記第１の部分に前記第２の部分を開閉又は回動自在に連結させる回転軸と、
を備える携帯端末であって、
前記第２の部分の開閉又は回動状態を検出する検出手段を更に備えることにより、
前記制御手段は、前記検出手段により検出された開閉又は回動状態に応じてアプリケーションが動作するように制御することを特徴とする請求項１に記載の携帯端末。
【請求項３】
複数のキーが配列されたキー部に、前記キーの配列に対応して配置された前記出力手段を設けた第１の部分と、
表示画面が配置された表示部を設けた第２の部分と、
前記第１の部分のキー部と前記第２の部分の表示部とを対面可能にすることにより前記第２の部分を開閉自在に連結させる回転軸と、
を備える携帯端末であって、
前記第２の部分を開いた時に前記キー部におけるアプリケーションの動作を行うことを特徴とする請求項１又は請求項２のいずれかに記載の携帯端末。
【請求項４】
複数のキーが配列されたキー部を設けた第１の部分と、
背面には前記出力手段が配置された出力部と、正面には表示画面が配置された表示部とを設けた第２の部分と、
前記第１の部分のキー部と前記第２の部分の表示部とを対面可能にすることにより前記第２の部分を開閉自在に連結させる回転軸と、
を備える携帯端末であって、
前記第２の部分を閉じた時に前記出力部におけるアプリケーションの動作を行うことを特徴とする請求項１乃至請求項３のいずれかに記載の携帯端末。
【請求項５】
複数のキーが配列されたキー部と、前記出力手段が配置された出力部とを設けた第１の部分と、
表示画面が配置された表示部を設けた第２の部分と、
前記第１の部分のキー部と前記第２の部分の表示部とを対面可能にすることにより前記第２の部分を開閉自在に連結させる回転軸と、
を備える携帯端末であって、
前記第２の部分を開いた時に前記出力部におけるアプリケーションの動作を行うことを特徴とする請求項１又は請求項４のいずれかに記載の携帯端末。
【請求項６】
前記出力手段が複数の発光素子であることにより、
前記アプリケーションとして、イルミネーションの点灯動作を行うことを特徴とする請求項１乃至請求項５のいずれかに記載の携帯端末。
【請求項７】
前記発光素子は、ＬＥＤであることを特徴とする請求項６に記載の携帯端末。
【請求項８】
前記携帯端末は、携帯電話機であることを特徴とする請求項１乃至請求項７のいずれかに記載の携帯端末。
【請求項９】
所定の動作を行うアプリケーションを実装した携帯端末のコンピュータに、
日時情報を生成する日時情報生成処理と、
アプリケーションを動作させるための設定情報を設定する設定処理と、
日時情報を取得できるか否かを判別する判別処理と、
前記設定手段によって設定された設定情報に従ってアプリケーションを動作させるとともに、前記判別手段によって日時情報を取得できないと判別された時はその時の設定情報をそのまま用いてアプリケーションの動作を継続させ、日時情報を取得できた時は所定の時刻で前記設定手段から設定情報の取得を再開してアプリケーションを動作させるように制御する制御処理と、
アプリケーションに従って動作する出力処理と、
を実行させることを特徴とするプログラム。
【発明の詳細な説明】
【技術分野】
【０００１】
本発明は、ユーザの利用に供するアプリケーションを実行可能な携帯端末及びそのプログラムに関する。
【背景技術】
【０００２】
近年、携帯電話機などの携帯端末は本来の通信機能に加えて時計機能を搭載したものが一般的であり、その時刻情報を利用するアプリケーションが広く普及している。例えば、特許文献１に示すように、時間帯に応じて操作キーなどのバックライトＬＥＤの点灯時間を可変にするものなどがある。
【０００３】
また、前記携帯端末については、ユーザの趣味や好みなどに合わせて設定をカスタマイズできるアプリケーションも数多く提供されている。例えば、特許文献２に示すように、ユーザがキーバックライトのＬＥＤ点灯色を選択できるものなどがある。
【０００４】
ところで、時刻情報を利用してアプリケーションの動作を行う携帯端末については、充電式電池の消耗や長時間携帯電話機から充電式電池が外されていたことによりアプリケーションが時刻情報を取得できなくなった場合には、時刻情報の消失によりアプリケーションの動作が不安定になる。そのため、そのアプリケーションは自動的に「動作する」という設定を「動作しない」という設定に切り替える、又は設定を初期化することによって、これを回避していた。
【先行技術文献】
【特許文献】
【０００５】
【特許文献１】特許３５６４３４９号公報
【特許文献２】特開２０１０−２６８０８８号公報
【発明の概要】
【発明が解決しようとする課題】
【０００６】
しかしながら、上述のような、時刻情報を利用してアプリケーションの動作を行う携帯端末については、そのアプリケーションが時刻情報を取得できなくなった場合には、ユーザは電池充電などを行い時計機能が動作可能となった後に自分で日付時刻を設定することで時刻情報の取得が可能になるが、アプリケーションの動作は停止したままであるため、その動作を再開させるためには、自分でそのアプリケーションの設定を「動作しない」という設定から「動作する」という設定に切り替えるなどの再設定が必要であった。
【０００７】
また、ユーザは電池充電を行い、時計機能が再び動作しているにもかかわらず、再設定しなければアプリケーションは動作しなくなったままであるため、不具合であるなどの誤認識をユーザに与える懸念があった。
【０００８】
そこで本発明は、電池消耗などにより時刻情報を消失した場合であっても、ユーザが自分で再設定することなく時刻情報を利用したアプリケーションを再開できるとともに、不具合であるなどの誤認識を与えない携帯端末及びそのプログラムを提供することを目的とする。
【課題を解決するための手段】
【０００９】
本発明の携帯端末は、
日時情報を生成する日時情報生成手段と、
アプリケーションを動作させるための設定情報を設定する設定手段と、
日時情報を取得できるか否かを判別する判別手段と、
前記設定手段によって設定された設定情報に従ってアプリケーションを動作させるとともに、前記判別手段によって日時情報を取得できないと判別された時はその時の設定情報をそのまま用いてアプリケーションの動作を継続させ、日時情報を取得できた時は所定の時刻で前記設定手段から設定情報の取得を再開してアプリケーションを動作させるように制御する制御手段と、
アプリケーションに従って動作する出力手段と、
を備えることを特徴とする携帯端末である。
【００１０】
本発明のプログラムは、
所定の動作を行うアプリケーションを実装した携帯端末のコンピュータに、
日時情報を生成する日時情報生成処理と、
アプリケーションを動作させるための設定情報を設定する設定処理と、
日時情報を取得できるか否かを判別する判別処理と、
前記設定手段によって設定された設定情報に従ってアプリケーションを動作させるとともに、前記判別手段によって日時情報を取得できないと判別された時はその時の設定情報をそのまま用いてアプリケーションの動作を継続させ、日時情報を取得できた時は所定の時刻で前記設定手段から設定情報の取得を再開してアプリケーションを動作させるように制御する制御処理と、
アプリケーションに従って動作する出力処理と、
を実行させることを特徴とするプログラムである。
【発明の効果】
【００１１】
本発明によれば、携帯端末が電池消耗などにより日時情報を消失した場合には、ユーザが自分で再設定しなくても自動的にその時の動作内容のままアプリケーションの動作を再開させ、その後、日時情報を取得した場合には、所定の時刻になると自動的に新しい動作内容に変更して、アプリケーションの動作を継続することができる。
【図面の簡単な説明】
【００１２】
【図１】本発明に係る携帯端末の回路構成の一例を示すブロック図である。
【図２】本発明に係る携帯端末の使用状態の一例を示す図である。
【図３】本発明に係る携帯端末に使用される動作データの一例を示す図である。
【図４】本発明に係る携帯端末の動作の一例を示すフローチャートである。
【図５】付記１の構成図である。
【発明を実施するための形態】
【００１３】
以下、本発明に係る携帯端末の実施形態を、図面を参照して説明する。
ここで、本発明に係る携帯端末として、充電式電池を有する電子機器、例えば携帯電話機、携帯情報端末、スマートフォン、通信機などが該当するが、以下では携帯電話機に適用した例を説明する。また、以下では携帯端末が行うアプリケーションとして、イルミネーションの動作を例に説明する。
【００１４】
図１は、本発明に係る携帯端末の回路構成の一例を示すブロック図である。また、図２は、本発明の実施形態に係る携帯端末の使用状態の一例を示す図である。ここで、図２（ａ）は携帯電話機２００の本体部１００を開いていた状態を示す図であり、図２（ｂ）は本体部１００を閉じた状態を示す図である。
【００１５】
図１に示すように、携帯電話機２００は、大きく分けると本体部１００と、その本体部１００から取り外し可能な二次電池（以下、「充電式電池」という。）１０１とから構成されている。本体部１００はＣＰＵ１０、ＲＯＭ１１、作業用メモリ１２、不揮発メモリ２４、無線送受信部１３、日時情報生成部１４、ＬＥＤ部１５、キー入力部１６、キーバックライト部１７、表示制御部１８、表示部１９、マイク２０、スピーカ２１、レシーバ２２、電源制御部２３を有しており、ＣＰＵ１０はバス３０を介して本体部１００内の各部と接続されている。
【００１６】
ＣＰＵ１０は、いわゆる中央処理装置であり、通信制御、省電力制御などの制御プログラムの他、イルミネーションの点灯制御を行うプログラムなどの各種の制御処理を行う。例えば、ＣＰＵ１０は、日時情報を取得できないと判別した時はその時の設定情報をそのまま用いてＬＥＤ部１５やキーバックライト部１７の発光部などにおけるイルミネーションの動作を継続させ、日時情報を取得できると判別した時は所定の時刻で設定情報の取得を再開してイルミネーションを動作させるように制御する処理を行う。
【００１７】
ＲＯＭ１１はリードオンリメモリであり、ＣＰＵ１０が実行するための通信制御、省電力制御などの制御プログラムや、イルミネーションの点灯制御を行うプログラムなどの各種の制御プログラムや、後述するが、イルミネーションの点灯動作を行うための固定的な点滅パターンデータなどの各種のデータを格納している。
【００１８】
作業用メモリ１２はＲＡＭ（ランダムアクセスメモリ）によって構成されている。ＲＯＭ１１に格納されている制御プログラムやデータなどをこの作業メモリ１２に読み込み、ＣＰＵ１０が実行する各種の制御処理（通信制御、省電力制御、イルミネーションの点灯制御など）をソフトウェア的に実現する。
【００１９】
不揮発メモリ２４は、後述するが、イルミネ―ションの動作を行わせるために使用される複数の動作データ、所定の時刻になると自動的に新しい動作内容に変更してイルミネ―ションを「動作する」又は「動作しない」を示す動作可否データなどのイルミネーションの動作を行わせるための各種の設定情報を記録するために使用される。
なお、不揮発メモリ２４はデータの消去、リード及びライトを自由に行うことができ、電源を切っても内容が消えない半導体メモリであり、電話帳データやユーザデータなどの各種設定情報を保持できるようになっている。不揮発メモリ２４としてはフラッシュメモリなどが該当する。
【００２０】
無線機送受信部１３は無線によってデータの送受信を行うための回路である。
日時情報生成部１４は一定期間のカレンダー情報、例えば２０００年１月１日から２０９９年１２月３１日までの期間のカレンダー情報を持ち、ユーザが入力した日付時刻と照合し、日時情報のパラメータを生成する。また、日時情報生成部１４は、基地局からの信号により無線機送受信部１３で受信した日時情報と照合し、時間のずれなどが生じていると判断した場合に補正制御を行い、日時情報のパラメータを生成できるものであっても良い。
なお、日時情報生成部１４は、具体的には図１には示していないが、充電式電池１０１以外の固定の蓄電要素（例えば、コンデンサ等が該当する。）によって電源バックアップされた記憶要素（例えば、レジスタ等が該当する。）と、時を刻む時計部とを含んで構成されている。工場出荷時（またはユーザの購入直後）における記憶要素の内容は、所定の値（以下、「初期値」という。）になっている。ユーザが現在日時（日付と時刻）を設定すると、前記の記憶要素の内容がこの現在日時で書き換えられ、以降、時の進行に伴い、時計部によって記憶要素の内容が逐次に書き換えられていく。さて、充電式電池１０１を本体１００から取り外したまま放置したり、あるいは、充電式電池１０１の放電状態を放置したりすると、前記の蓄電要素の電荷が空になってしまい、記憶要素の電源バックアップ機能が失われてしまう。このとき、記憶要素の内容は工場出荷時の値（つまり、初期値）に戻る。このような状態（記憶要素の内容が初期値に戻った状態）のとき、日時情報生成部１４は正しい日時を生成していない。したがって、以下の説明において、「日時情報を取得できない」とは、具体的には記憶要素の内容が初期値になっている状態のことをいう。すなわち、記憶要素の内容を調べて初期値であれば「日時情報を取得できない」と判別し、初期値以外であれば「日時情報を取得できる」と判別すればよい。
【００２１】
ＬＥＤ部１５は本体部１００の背面に設けられた発光窓部３２におけるイルミネーションの発光部として利用される。ＬＥＤ部１５は複数のＬＥＤ部品により構成され、各々のＬＥＤ部品は発色や点滅パターンを変えて動作させることができる。
【００２２】
キー入力部１６は、例えば、キー部３１に配置された確定キー、カーソルキー、ファンクションキー、テンキーなどのキーの他、携帯電話機を閉じた時に外側に配置されたキーなどの各種のキーからの入力を受け付ける入力回路である。
キーバックライト１７は、確定キー、カーソルキー、ファンクションキー、テンキーなどのキーが配置されたキー部３１におけるイルミネーションの発光部として利用される。キーバックライト１７は、ＬＥＤ部１５と同様、各々の発色や点滅パターンを変えて動作させることができる複数のＬＥＤ部品から構成される。
【００２３】
表示制御部１８は、表示画面を備える表示部１９の表示を制御する制御回路である。
マイク２０、スピーカ２１、レシーバ２２は通話を行う際に使用する音響部品であり、マイク２０は送話者の音声を入力するための入力装置、スピーカ２１又はレシーバ２２より相手話者の音声を出力するための出力装置である。スピーカ２１は音声を出力する以外に、各種の再生可能なサウンドを出力することも可能である。なお、このようなサウンド処理は、図示しないが、サウンド装置が制御することにより行われる。
電源制御部２３は、携帯電話機２００の主電源である充電式電池１０１からの電源供給を制御する。なお、充電式電池１０１が消耗して携帯電話機２００の電源投入ができない状態になると、携帯電話機２００の時計機能は動作しなくなるが、その後、ユーザが電池消耗した充電式電池１０１を充電又は充電された別の充電式電池１０１に交換することで電源投入が可能な状態になると時計機能は動作するようになる。
【００２４】
充電式電池１０１は、携帯電話機２００の主電源となる電池であり、充電により繰り返し使用することができる。充電式電池１０１は、例えばリチウムイオン電池などが使用される。また、充電式電池１０１は本体部１００のリアカバーを取り外すことで脱着可能である。
【００２５】
なお、図１には示していないが、本体部１００に開閉等検出部を設けることにより、図２に示すような本体部１００の第２の部分１００ｂの開閉状態や、図２に示していないが本体部１００の第２の部分１００ｂの回動状態を検出できるようにしても良い。これにより本体部１００の開閉又は回動状態に応じてイルミネーションの動作をすることが可能となる。
【００２６】
ここで、携帯電話機２００のイルミネーションにおいて、日時情報生成部１４は日時情報を生成する日時情報生成手段を構成する。
ＣＰＵ１０、ＲＯＭ１１及び不揮発メモリ２４は、アプリケーションを動作させるための設定情報を設定する設定手段を構成し、ＣＰＵ１０、ＲＯＭ１１及び作業用メモリ１２は、日時情報を取得できるか否かを判別する判別手段、及び設定手段によって設定された設定情報に従ってアプリケーションを動作させるとともに、判別手段によって日時情報を取得できないと判別された時はその時の設定情報をそのまま用いてアプリケーションの動作を継続させ、日時情報を取得できると判別された時は所定の時刻で設定手段から設定情報の取得を再開してアプリケーションを動作させるように制御する制御手段を構成する。
ＬＥＤ部１５及びキーバックライト１７は、アプリケーションに従って動作する出力手段を構成する。
また、開閉等検出部は本体部１００の第２の部分１００ｂの開閉又は回動状態を検出する検出手段を構成する。
【００２７】
次に、本発明に係る携帯端末の開閉又は回動状態の一例について、図２を参照して説明する。
図２（ａ）に示すように、本体部１００は、大きく分けると第１の部分１００ａ、第２の部分１００ｂ及び回転軸１００ｃからなり、前記第２の部分１００ｂは回転軸１００ｃを介して開閉自在に前記第１の部分１００ａに連結している。
【００２８】
第１の部分１００ａは正面にキー部３１を備えている。キー部３１には、例えば、確定キー、カーソルキー、ファンクションキー、通話開始ボタン、通話終了ボタン、テンキーなどの各種のキーが配置されている。また、第２の部分１００ｂは正面に表示部１９を備えている。表示部１９には液晶ディスプレイなどの表示画面が設けられている。
第２の部分１００ｂを開いた時は第１の部分１００ａに設けられたキー部３１が任意の色で照光し、点滅動作することによりイルミネーションの表現が提供される。
【００２９】
また、図２（ｂ）に示すように、第２の部分１００ｂを閉じた時はその背面に設けられた複数の発光窓部３２が任意の色で照光し、点滅動作することによりイルミネーションの表現が提供される。
【００３０】
なお、上述の説明では、第２の部分１００ｂは回転軸１００ｃを介して開閉自在に第１の部分１００ａに連結しているが、これに代えて、第２の部分１００ｂが回転軸１００ｃを介して回動自在に第１の部分１００ａに連結しているものであっても良い。
【００３１】
また、上述の説明では、第２の部分１００ｂを開いた時は第１の部分１００ａに設けられたキー部３１が、また、前記第２の部分１００ｂを閉じた時はその背面に設けられた複数の発光窓部３２が、それぞれ任意の色で照光し、点滅動作することにより、イルミネーションの動作をするものを説明したが、これに代えて、第２の部分１００ｂの開閉時に本体部１００に実装されたサウンド制御装置によりスピーカ２１を使用して各種のサウンドを再生するものなどであっても良い。
【００３２】
図３は、本発明に係る携帯端末に使用される動作データの一例を示す図である。
図３では、複数の動作データが示されており、各動作データは動作データ番号、色番号、キーバックライト１７用パターン番号及びＬＥＤ部１５用パターン番号から構成されている。動作データは動作データ番号１から動作データ番号３６５が予めＲＯＭ１１に格納されており、これらを使用してイルミネーションの各種パターン動作が提供される。
また、ユーザは自分の好むパターン動作を行わせることができる複数の動作データを自分で設定しても良い。この場合、その動作データは不揮発メモリ２４に記録され、ＣＰＵ１０が不揮発メモリ２４に記録された動作データを取得して、イルミネーションの動作を制御する。
【００３３】
動作データ番号は１から３６５までの３６５個あり、これは１年間の日数に相当する。また、色番号はキーバックライト１７及びＬＥＤ部１５を構成しているＬＥＤ部品の７色の発光色に対応しており、１から７までの７通りある。また、キーバックライト１７用パターン番号は当該ＬＥＤ部品の点滅動作のパターンに対応した１から７までの７通り、ＬＥＤ部１５用パターン番号も当該ＬＥＤ部品の点滅動作のパターンに対応した１から７までの７通りあり、これらの点滅パターンはどの色にも適用することができる。なお、これらの点滅パターンは複数あるＬＥＤ部品の発光順序、個々のＬＥＤ部品の点灯周期を変化させたものである。
【００３４】
なお、上述の説明では、ユーザの設定によらずに所定の時刻になると自動的に新しい動作内容に変更してイルミネ―ションの動作を提供するために予め３６５個の動作データがＲＯＭ１１に格納されているが、動作データをユーザの好みに応じて固定的に使用することも可能である。
【００３５】
また、上述の説明では、予め３６５個の動作データがＲＯＭ１１に格納されているが、これに限定されるものではない。３６５個の動作データを用意することが難しいこともあるため、動作データが３６５個よりも少ない場合であっても、乱数を発生させることにより、所定の時刻になると動作データをランダムに選択してイルミネーションを動作させるようにすることも可能である。
【００３６】
また、上述の説明では、動作データは色番号、キーバックライト１７用パターン番号及びＬＥＤ部１５用パターン番号の３つの組合せから構成されているが、これに限定されるものではない。これに代えて、例えば、色番号時バックライト１７用パターン番号の２つの組合せから構成されているものや、色番号とＬＥＤ部１５用パターン番号の２つの組合せから構成されているものとすることも可能である。
【００３７】
次に、本実施形態の動作について説明する。
図４は、本発明の実施形態に係る携帯端末の動作の一例を示すフローチャートである。
まず、ステップＳ１で、待ち受け状態からイルミネーションのアプリケーションを起動する。次いで、ステップＳ２で、予め動作データがデフォルトで設定されているが、ユーザの操作により選択された動作データＸを設定することもできる。
次いで、ステップＳ３で、イルミネーションを点灯する時、例えば、ユーザが本体部１００を開いた時はキーバックライト１７を、本体部１００を閉じた時はＬＥＤ部１５を対象に、現在の動作データに従って発光を行う。
【００３８】
次いで、ステップＳ４で、イルミネーションを継続するか否かを判別し、イルミネーションを継続しないと判別した場合にはイルミネーションの動作は終了する。また、イルミネーションを継続すると判別した場合にはステップＳ５に進み、イルミネーションを終了するまで、イルミネーションの動作を継続する。
【００３９】
ステップＳ５では、イルミネーションを継続する場合に、所定の時刻になると自動的に新しい動作内容に変更してイルミネ―ションを「動作する」又は「動作しない」を示す動作可否データに基づいて、当該イルミネーションの動作可否を判別し、「動作する」であると判別した場合にはステップ６に進み、「動作しない」であると判別した場合にはステップＳ３に戻り、ステップＳ２で設定された動作データＸを使用してイルミネーションの動作を継続する。
【００４０】
なお、ユーザが電池消耗した充電式電池１０１を充電又は充電された別の充電式電池１０１に交換し、携帯電話機２００が動作復帰した場合には、ステップＳ５から処理が開始される。これは、イルミネ―ションの動作を行わせるために使用される複数の動作データ及び所定の時刻になると自動的に新しい動作内容に変更してイルミネ―ションを「動作する」又は「動作しない」を示す動作可否データなどの各種の設定情報については、不揮発メモリ２４に保持されるので、改めて設定を行う必要がないためである。
【００４１】
ステップＳ６では、日時情報生成部で生成される日時情報パラメータの取得ができるか否かを判別し、日時情報パラメータの取得ができる場合には、日時情報パラメータを取得し、ステップＳ８に進む。一方、日時情報パラメータの取得ができない場合にはステップＳ７に分岐し、所定の時刻になると自動的に新しい動作内容に変更してイルミネ―ションを「動作する」又は「動作しない」を示す動作可否データの設定を「動作する」のまま保持してステップＳ３に戻り、現在の動作データに基づいてイルミネーションの動作を継続する。これにより、その後電池充電などにより日時情報を取得できるようになった場合に、ユーザが自分でそのアプリケーションの設定を「動作する」という設定に切り替える必要がなくなる。
【００４２】
ステップＳ８では、日時情報パラメータを取得し、当該日時情報パラメータに基づく時刻が所定の時刻になったか否か判別し、その時刻になったと判別した場合にはステップＳ９に進む。その時刻になっていないと判別した場合にはステップＳ３に戻り、現在の動作データに基づいてイルミネーションの動作を継続する。
【００４３】
ステップＳ９では、現在の動作データＸとは別の新しい動作データＹを取得して、ステップＳ３に戻り、当該動作データＹに基づいてイルミネーションの動作を継続する。したがって、これ以降、ステップＳ３でイルミネーションを点灯するシーンでは、ステップＳ９で選択される新しい動作データに基づいてイルミネーションが行われる。
【００４４】
上述した処理により、日時情報を取得できない場合にはその時の設定情報のままでイルミネーションが行われ、その後、日時情報を取得できるようになった場合には所定の時刻で自動的に設定情報の取得を再開してイルミネ―ションが行われる。
【００４５】
以上のように、本発明の実施形態によれば、電池消耗により日時情報を取得できなくなった場合であっても、自動的にその時の設定情報のままアプリケーションの動作を継続し、その後、日時情報を取得した場合には、所定の時刻になると自動的に設定情報の取得を再開してアプリケ―ションの動作を継続することができるので、ユーザは自分でそのアプリケーションの設定を「動作しない」という設定から「動作する」という設定に切り替える必要がなくなる。
【００４６】
また、本実施形態によれば、電池消耗などにより日時情報を取得できなくなった場合であっても、電池充電などにより携帯電話機２００が動作復帰しさえすればアプリケーションの動作を再開するため、ユーザに不具合があるのではないかなどの誤認識を与えることもない。
【００４７】
なお、本発明の実施形態は、ユーザの利用に供するアプリケーションとしてイルミネーションの動作を行うものに適用したものであるが、本発明はこれに限定されるものではなく、サウンド再生を行うもの、その他のアプリケーションにも幅広く適用できる。
その場合には、サウンド再生を制御するサウンド制御装置を備えるとともに、出力手段としてスピーカを使用して、アプリケーションとしてサウンド再生を行うことができるように構成する。
【００４８】
また、本実施形態では、携帯端末として携帯電話機に適用した例であるが、本発明はこれに限定されるものではない。例えば、携帯情報端末、スマートフォン、通信機、その他の充電式電池を有する電子機器等にも幅広く適用できる。
【００４９】
以下、本発明の特徴を付記する。
なお、上記の実施形態の一部又は全部は、以下の付記のようにも記載されうるが、以下には限られない。
【００５０】
（付記１）
図５は付記１の構成図である。この図に示すように、付記１記載の発明は、
日時情報を生成する日時情報生成手段３０１と、
アプリケーションを動作させるための設定情報を設定する設定手段３０２と、
日時情報を取得できるか否かを判別する判別手段３０３と、
設定手段３０２によって設定された設定情報に従ってアプリケーションを動作させるとともに、判別手段３０３によって日時情報を取得できないと判別された時はその時の設定情報をそのまま用いてアプリケーションの動作を継続させ、日時情報を取得できた時は所定の時刻で設定手段３０２から設定情報の取得を再開してアプリケーションを動作させるように制御する制御手段３０４と、
アプリケーションに従って動作する出力手段３０５と、
を備えることを特徴とする携帯端末。
【００５１】
（付記２）
複数のキーが配列されたキー部を設けた第１の部分と、
表示画面が配置された表示部を設けた第２の部分と、
前記第１の部分に前記第２の部分を開閉又は回動自在に連結させる回転軸と、
を備える携帯端末であって、
前記第２の部分の開閉又は回動状態を検出する検出手段を更に備えることにより、
前記制御手段は、前記検出手段により検出された開閉又は回動状態に応じてアプリケーションが動作するように制御することを特徴とする付記１に記載の携帯端末。
【００５２】
（付記３）
複数のキーが配列されたキー部に、前記キーの配列に対応して配置された前記出力手段を設けた第１の部分と、
表示画面が配置された表示部を設けた第２の部分と、
前記第１の部分のキー部と前記第２の部分の表示部とを対面可能にすることにより前記第２の部分を開閉自在に連結させる回転軸と、
を備える携帯端末であって、
前記第２の部分を開いた時に前記キー部におけるアプリケーションの動作を行うことを特徴とする付記１又は付記２のいずれかに記載の携帯端末。
【００５３】
（付記４）
複数のキーが配列されたキー部を設けた第１の部分と、
背面には前記出力手段が配置された出力部と、正面には表示画面が配置された表示部とを設けた第２の部分と、
前記第１の部分のキー部と前記第２の部分の表示部とを対面可能にすることにより前記第２の部分を開閉自在に連結させる回転軸と、
を備える携帯端末であって、
前記第２の部分を閉じた時に前記出力部におけるアプリケーションの動作を行うことを特徴とする付記１乃至付記３のいずれかに記載の携帯端末。
【００５４】
（付記５）
複数のキーが配列されたキー部と、前記出力手段が配置された出力部とを設けた第１の部分と、
表示画面が配置された表示部を設けた第２の部分と、
前記第１の部分のキー部と前記第２の部分の表示部とを対面可能にすることにより前記第２の部分を開閉自在に連結させる回転軸と、
を備える携帯端末であって、
前記第２の部分を開いた時に前記出力部におけるアプリケーションの動作を行うことを特徴とする付記１又は付記４のいずれかに記載の携帯端末。
【００５５】
（付記６）
前記出力手段が複数の発光素子であることにより、
前記アプリケーションとして、イルミネーションの点灯動作を行うことを特徴とする付記１乃至付記５のいずれかに記載の携帯端末。
【００５６】
（付記７）
前記発光素子は、ＬＥＤであることを特徴とする付記１乃至付記６のいずれかに記載の携帯端末。
【００５７】
（付記８）
前記携帯端末は、携帯電話機であることを特徴とする付記１乃至付記７のいずれかに記載の携帯端末。
【００５８】
（付記９）
所定の動作を行うアプリケーションを実装した携帯端末のコンピュータに、
日時情報を生成する日時情報生成処理と、
アプリケーションを動作させるための設定情報を設定する設定処理と、
日時情報を取得できるか否かを判別する判別処理と、
前記設定手段によって設定された設定情報に従ってアプリケーションを動作させるとともに、前記判別手段によって日時情報を取得できないと判別された時はその時の設定情報をそのまま用いてアプリケーションの動作を継続させ、日時情報を取得できた時は所定の時刻で前記設定手段から設定情報の取得を再開してアプリケーションを動作させるように制御する制御処理と、
アプリケーションに従って動作する出力処理と、
を実行させることを特徴とするプログラム。
【符号の説明】
【００５９】
１０  ＣＰＵ（設定手段、判別手段、制御手段）
１１  ＲＯＭ（設定手段、判別手段、制御手段）
１２  作業用メモリ（判別手段、制御手段）
１３  無線機送受信部
１４  日時情報生成部（日時情報生成手段）
１５  ＬＥＤ部（出力手段）
１６  キー入力部
１７  キーバックライト部（出力手段）
１８  表示制御部
１９  表示部
２０  マイク
２１  スピーカ（出力手段）
２２  レシーバ
２３  電源制御部
２４  不揮発メモリ（設定手段）
３１  キー部（出力手段）
３２  発光窓部（出力手段）
１００  本体部（日時情報生成手段、設定手段、判別手段、制御手段、出力手段）
１００ａ  本体部の第１の部分
１００ｂ  本体部の第２の部分
１００ｃ  回転軸
１０１  充電式電池
２００  携帯電話機
【図１】
0005698063.tif 000002
【図２】
0005698063.tif 000003
【図３】
0005698063.tif 000004
【図４】
0005698063.tif 000005
【図５】
0005698063.tif 000006